(57)【要約】【課題】各々の床材が相互容易にかみ合って結合され、安定的に結束力を維持する組立式床材を提供する。【解決手段】板状の本体部の片側辺に沿って形成され、その端面が片側辺から湾曲し始め、上記湾曲する終端が関節２８形状に仕上げられた締結突起１４；上記締結突起１４の具備された片側辺に対向する反対側辺に沿って形成され、その端面が締結突起１４が挿入され、締結出来るように締結突起１４に対応する形状を持つ締結溝１６；上記締結突起１４及び締結溝１６が形成されていない片側辺に沿って形成され、その端面が本体部の辺の下部片側から一定間隔をはなれ、はなれた終端から上向きで垂直に突出した第１挿入突起；上記挿入突起の具備された片側辺に対向する反対側辺に沿って形成され、その端面が挿入突起が挿入出来るように本体部の辺の上端から一定間隔をはなれ、はなれた終端から下向きに垂直で突出する第２挿入突起よりなる。【選択図】図７
2011140863.tif 000002
【特許請求の範囲】
【請求項１】
板状の本体部１２の片側辺に沿って形成され、その端面が片側辺から湾曲し始め、上記湾曲される終端が関節２８形状に仕上げられた締結突起１４；上記締結突起１４が具備された片側辺に対向される反対側辺に沿って形成され、その端面が締結突起１４が挿入され締結出来るように締結突起１４に対応する形状を持つ締結溝１６；上記締結突起１４及び締結溝１６が形成されていない本体部１２の片側辺に沿って形成され、その端面が本体部１２の辺の下部片側から一定間隔をはなれ、はなれた終端から上向きで垂直に突出した第１挿入突起１８‘；上記挿入突起１８が具備された片側辺に対向する反対側辺に沿って形成され、その端面が挿入突起１８が挿入出来るように本体部１２の辺上段から一定間隔をはなれ、はなれた終端から下向きで垂直に突出した第２挿入突起１８”を含む組立式床材。
【請求項２】
上記締結突起１４の端面が上端片側に段差２９が形成され、上記段差２９の終段片側が外部に湾曲されるように形成され、突出した尖部２７を形成して、上記尖部２７の終端が上向きで関節２８形状に仕上げた形態を持つことを特徴とする請求項１記載の組立式床材。
【請求項３】
上記締結突起１４が挿入されて締結される締結溝１６の端面が締結突起１４の段差２９に連続して形成された尖部２７が挿入される溝２２；及び上記溝２２から一定間隔をはなれ、はなれるように形成され締結突起１４の関節２８形状部分に挿入されることで締結突起１４が締結溝１６に締結されるようにする突出部１７を含むことを特徴とする請求項２記載の組立式床材。
【請求項４】
上記組立式床材が床面に安着されて、上記床面と接触する下部面には、湿気またはガスの排出が容易に出来るように屈曲した形状のエンボシング部２６が形成されている合成樹脂材の均衡層２４；上記均衡層２４の上部に積層されて、騷音伝達を防止する第１騷音防止層３０ａ；上記第１騷音防止層３０ａの上部に積層され、設置場所の環境条件による伸縮を防止するためのガラス・繊維で構成された伸縮防止層４０；上記伸縮防止層４０の上部に積層され、騷音伝達を防止する第２騷音防止層３０ｂ；上記第２騷音防止層３０ｂの上部に積層される柄色相層５０；上記柄色相層５０の上部に積層されて、上記柄色相層を保護する摩耗保護層６０；上記摩耗保護層６０の上部に積層される表面コーティング層７０を含むことを特徴にする請求項１記載の組立式床材。
【請求項５】
上記摩耗保護層６０は透明性を持つ合成樹脂で構成され、その厚さが０．１ｍｍないし１．０ｍｍである事を特徴とする請求項４記載の組立式床材。
【請求項６】
上記表面コーティング層は透明なアクリルまたはウレタン系で構成され、その厚さが０．０１０ｍｍないし０．０２５ｍｍである事を特徴とする請求項４記載の組立式床材。
【請求項７】
上記均衡層、上記第１騷音防止層、上記伸縮防止層、上記第２騷音防止層、上記柄色相層、上記摩耗保護層及び上記表面コーティング層は熱融着により相互接着されることを特徴とする請求項４記載の組立式床材。
【発明の詳細な説明】
【技術分野】
【０００１】
本発明は組立式床材に関するものとして、より詳しくは板状の四角形形状を持つ床材の片側辺とその対向する辺との組立のため一定角度で挿入し、かみ合う事によって締結される締結突起と締結溝を設け、上記締結突起又は締結溝が形成されていない他の辺の各々には単純な垂直方向で互いに挿入され締結されるように挿入突起と挿入溝を各々形成させて多数の床材を互いに容易な結合が出来るようにした組立式床材に関するものである。
【背景技術】
【０００２】
従来では建物の室内床に一体型床シートを敷いて使用していたが、最近になって室内インテリアについて感心が高くなり床を施工する際、一定の大きさのブロック形床材を互いに連結して室内床を装飾する事が一般的になった。
特に上記床材として木材又は合成樹脂が主に使用されたが、木材の床材は外部環境に相対的弱みがあるため、合成樹脂の床材の使用が増加している。
通常、上記床材を利用して室内床を施工する場合、室内床構造表面に接着剤を塗布した後、ブロック形床材を表面に接着させて施工する方法が主に使用される。
この時、接着剤としてはエポキシ、ウレタン又はアクリル系の接着剤が使用されている。しかし、前述した室内床構造の表面に接着剤を塗布した場合、接着剤から揮発性有機化合物等が放出され居住者に対して新しい住宅アレルギー等を誘発させる問題点が発生する事や、建物の床面状態の不良や床に湿気が含有している場合、接着剤の性能が悪くなり、合成樹脂床材の施工状態を安定的に維持する事が難しい等の問題点がある。
【０００３】
この様な問題点を解決するため、最近になって接着剤を使わずに床材を基材に施工する方法が開発された、一方、建物の床面に施工する床材は同じ形態を持つ床材が互いに連結設置されるようにして組立する形式で施工するため、各々の床材には互いに連結設置出来るような突起と、その突起が挿入され締結される突起溝が片側辺及びこれに対向する反対側辺に形成される。
このような床材の一例として特許文献１には多数の床材を連結するシステムとして板材の片側辺とこれに対向する反対側辺に各々互いに締結出来るように端面が”Ｓ”字形態で湾曲した突起と、その突起が挿入出来る溝が各々形成され湾曲した突起を斜めにして溝に挿入締結することで床材と床材を互いに連結するシステムが開示されている。
しかし、上記従来技術は湾曲した突起と溝が形成されている床材の辺以外の辺には段差が形成され、互いに締結するため湾曲した突起及び溝で締結した床材の間の締結力は良くても段差と段差が互いに結合される部分は、締結力が相対的に弱くて床材の施工時床材の位置が変わり、施工が難しい事のほか施工後に床材が互いにゆがみ施工状態が悪くなる問題点がある。
【先行技術文献】
【特許文献】
【０００４】
【特許文献１】国際特許公開ＷＯ２００７／０１５８６０号
【発明の概要】
【発明が解決しようとする課題】
【０００５】
本発明は多数の床材を互いに連結設置して床面を施工する場合、各々の床材が相互容易にかみ合って結合され、結合された床材が相互安定的に結束力を維持するようにすることを解決しようとするものである。
【課題を解決するための手段】
【０００６】
本発明は前述した問題点を解決するため導出されたものとして板状の本体部の片側辺に沿って形成され、その端面が片側辺から湾曲し始め、上記湾曲の終端が関節形状に仕上げられた締結突起；上記締結突起が具備された片側辺に対向する反対側辺に沿って形成され、その端面が締結突起が挿入され締結出来るように締結突起に対応する形状を持つ締結溝；上記締結突起及び締結溝が形成されていない本体部の片側辺にそって形成され、その端面が本体部の辺の下部片側から一定間隔をはなれ、はなれた終端から上向きで垂直に突出した第１挿入突起；上記挿入突起が具備された片側辺に対向する反対側辺に沿って形成され、その端面が挿入突起が挿入出来るように本体部の辺の上端から一定間隔をはなれ、はなれた終端から下向きに垂直に突出した第２挿入突起を含む組立式床材を提供することで課題解決手段になる。
【発明の効果】
【０００７】
本発明は多数の床材、特定的に組立式床材を相互連結設置して施工する場合、各々の床材が相互容易にかみ合い、結合されるように施工を簡便にする効果がある。
【図面の簡単な説明】
【０００８】
【図１】本発明による組立式床材の斜視図
【図２】本発明による組立式床材の“Ａ−Ａ”断面図
【図３】本発明による組立式床材の“Ｂ−Ｂ”断面図
【図４】本発明による組立式床材の組立された状態を図示した断面図
【図５】本発明による組立式床材の組立された状態を図示した他の断面図
【図６】本発明による組立式床材の組立方法を現わす斜視図
【図７】本発明による組立式床材の組立方法を図示した断面図
【図８】本発明による組立式床材の組立方法を図示した他の断面図
【図９】本発明による組立式床材の積層構造を拡大図示した部分断面図
【図１０】本発明による組立式床材の積層構造の他の実施例を拡大図示した部分断面図
【発明を実施するための形態】
【０００９】
本発明は板状の本体部の片側辺に沿って形成され、その端面が片側辺から湾曲し始め、上記湾曲される終端が関節形状に仕上げられた締結突起；上記締結突起が具備された片側辺に対向する反対側辺に沿って形成され、その端面が締結突起が挿入され締結出来るように締結突起に対応する形状を持つ締結溝；上記締結突起及び締結溝が形成されていない本体部の片側辺に沿って形成され、その端面が本体部の辺の下部片側から一定間隔をはなれ、はなれた終端から上向きで垂直に突出した第１挿入突起；上記挿入突起が具備された片側辺に対向する反対側辺に沿って形成され、その断面が挿入突起が挿入出来るように本体部の辺上段から一定間隔をはなれ、はなれた終端から下向きで垂直に突出した第２挿入突起を含む組立式床材を提供する。
【００１０】
本発明による床材、特定的に組立式床材は建築物の床、具体的には室内床に設置する床材を意味するものとして、この様な目的のための床材、例えば床パネル、床板材等の床材であればすべて本発明の床材に該当する。
特に、本発明による組立式床材は一つの床材が独立して使用されるよりは多数の床材を相互組み合わせるように結合させ床に施工するものとして、床に施工した各々の独立的な床材が相互結合された全体を床材と指称することも出来る。
【実施例】
【００１１】
以下、添付された図面を参照しながら本発明に対して下記のように詳細説明する。しかし下記の説明はただ本発明を具体的に説明するためであり下記説明によって本発明の範囲を限定するものではない。
図１ないし図１０に図示した通り本発明による床材、特定的に組立式床材は板状の本体部１２の片側辺に沿って形成され、その端面が片側辺から湾曲し始め、上記湾曲した終端が関節形状に仕上げられた締結突起１４；上記締結突起１４が具備された片側辺に対向する反対側辺に沿って形成され、その端面が締結突起１４が挿入され締結出来るように締結突起１４に対応する形状を持つ締結溝１６；上記締結突起１４及び締結溝１６が形成されていない本体部１２の片側辺に沿って形成されて、その端面が本体部１２の辺の下部片側から一定間隔をはなれ、はなれた終端から上向きで垂直に突出した第１挿入突起１８‘；上記挿入突起１８が具備された片側辺に対向する反対側辺に沿って形成され、その端面が挿入突起１８が挿入出来るように本体部１２の辺上段から一定間隔をはなれ、はなれた終端から下向きで垂直に突出した第２挿入突起１８”で構成される。
【００１２】
本発明による本体部１２は床材１０の外形を提供するものとして、板状、望ましくは板状の四角形形状、なおかつ直角形形状を持つ。
本発明による締結突起１４は上記本体部１２、特定的に四角形本体部１２の片側辺、特定的に片側辺に沿って形成して他の床材１０の締結溝１６に挿入され締結出来るものとして、このような目的を持つ締結突起１４であればその形態には特別に限定されない。
特定様態として、本発明による締結突起１４はその端面が上端片側に段差２９が形成されて、上記段差２９の終端片側が外部で湾曲されるように形成されて出した尖端部２７を形成し、上記尖端部２７の終端が上向きで関節２８形状に仕上げた形態で構成することも出来る。
本発明による締結溝１６は上記締結突起１４が具備された本体部１２の片側辺に対向する反対側辺に沿って形成されて、その端面が締結突起１４が挿入され締結出来るように締結突起１４に対応する形状を持つ。
特定様態として、上記締結突起１４はその端面が締結突起１４の段差２９に連続的に形成された尖端部２７が挿入される溝２２；及び上記溝２２から一定間隔をはなれて形成され締結突起１４の関節２８部分に挿入することで締結突起１４が締結溝１６に締結出来るようにする突出部１７を含むことも出来る。
ここで、上記一つの床材１０に形成された締結突起１４は他の床材１０の締結溝１６に締結され相互にかたく結束される。
また、上記締結突起１４は斜めに傾き締結溝１６に挿入された後相互締結される二つの床材１０が水平になるように床に置かれることで締結が終了する。
【００１３】
一方、本発明による挿入突起１８は締結突起１４及び締結溝１６が形成されない本体部１２の片側辺及びこれに対向する反対側辺に突出されるように形成、なおかつ辺に沿って上向きまたは下向きで突出されるように形成される。
この時、本体部１２の片側辺及びこれに対向する反対側辺に形成される挿入突起１８の大きさは互いに等しいが、その突出する方向は相互対向するように形成される。
また、上記挿入突起１８は上記本体部１２の片側辺、特定的に片側辺に沿って形成されて、その端面が本体部１２の辺の下部又は片側から一定間隔をはなれ、はなれた終端から上向きまたは下向きで垂直に突出するように形成される。
ここで、上記本体部１２と本体部１２の片側辺の下部または上部から一定間隔をはなれて形成された挿入突起１８の間には他の床材１０の挿入突起１８が挿入出来るための一定の空間が形成される。このような空間を本発明では挿入溝２０と指称する。
これで、本発明では互いに等しいが、その突出した方向が相互対向する挿入突起１８中任意で一つの挿入突起を第１挿入突起１８’と称し、他の挿入突起を第２挿入突起１８”と指称する。
上記第１挿入突起１８’と本体部１２の間に形成された空間を第１挿入溝２０’と称し、第２挿入突起１８”と本体部１２の間に形成された空間を第２挿入溝２０”と指称する。
【００１４】
本発明による本体部１２の片側辺及びこれに対向する反対側辺に形成された第１挿入突起１８’及び第２挿入突起１８”を具体的に下記のように説明する。
まず、第１挿入突起１８’は上記本体部１２の片側辺、特定的に片側辺に沿って形成され、その端面が本体部１２の片側辺の下部片側から一定間隔をはなれ、はなれた終端から上向きで垂直突出するように形成される。
この時、上記本体部１２と本体部１２の片側辺下部から一定間隔をはなれて形成された第１挿入突起１８’の間には他の床材１０の第２挿入突起１８”が挿入されるための第１挿入溝２０’が形成される。
第２挿入突起１８”は上記本体部１２の片側辺、特定的に上記第１挿入突起１８’が形成された片側辺に対向する反対側辺に沿って形成されて、その端面が本体部１２片側辺の上部片側から一定間隔はなれ、はなれた終端から下向きで垂直突出するように形成される。
この時、上記本体部１２と本体部１２の片側辺上部から一定間隔はなれて形成された第２挿入突起１８”の間には他の床材１０の第１挿入突起１８’が挿入されるための第２挿入溝２０”が形成される。
【００１５】
前述した通り、本発明による締結突起１４及び締結溝１６は相互締結されるため締結突起１４が具備された床材１０を斜めに傾け締結溝１６に挿入しなければならないが、上記床材１０に形成された挿入突起１８は一つの床材１０に形成された挿入突起１８、即ち第１挿入突起１８’に他の床材１０の挿入突起１８、即ち第２挿入突起１８”を垂直に挿入させることで第１挿入突起１８’は第２挿入突起１８”と隣り合って形成された第２挿入溝２０”に挿入され、第２挿入突起１８”は第１挿入突起１８’と隣合って形成された第１挿入溝２０’に挿入され相互結合されてお互いに他の組立式床材１０を連結する。
したがって上記挿入突起１８及び挿入溝２０は締結突起１４及び締結溝１６と一緒に床材１０の各辺に沿って形成されることで、施工及び維持補修が容易に出来る。
【００１６】
一方、前述した形態を持つ本発明による床材、特定的に組立式床材はその材質及び構成が特別に限定されないが、望ましくは合成樹脂材の方が良い。
特定的に、本発明による組立式床材１０は床面８０に安着され、上記床面８０と接触する下部面には湿気またはガスの排出が容易に出来る屈曲した形状のエンボシング部２６が形成されている合成樹脂材の均衡層２４；上記均衡層２４の上部に積層され、騷音伝達を防止する第１騷音防止層３０ａ；上記第１騷音防止層３０ａの上部に積層され、設置場所の環境条件による伸縮を防止するためにガラス繊維で構成された伸縮防止層４０；上記伸縮防止層４０の上部に積層され、騷音伝達を防止する第２騷音防止層３０ｂ；上記第２騷音防止層３０ｂの上部に積層される柄色相層５０；上記柄色相層５０の上部に積層され、上記柄色相層５０を保護する摩耗保護層６０；上記摩耗保護層６０の上部に積層される表面コーティング層７０を含めることも出来る。
【００１７】
本発明による均衡層２４は熱可塑性合成樹脂で構成され、建物の床面８０と接触する下部面には湿気またはガスの排出が容易に出来る屈曲した形状のエンボシング部２６が形成されている。エンボシング部２６は湿気またはガスの排出による組立式床材１０の変形を效率的に防止して組立式床材１０の施工場所に対する制約がほとんどない。
上記均衡層２４の材質及び厚さ等は必要により適切に調節可能である。
また、上記均衡層２０の上部には互いに伸縮率の異なる多数の層、即ち多段で積層配置された第１騷音防止層３０ａと伸縮防止層４０と第２騷音防止層３０ｂと柄色相層５０と摩耗保護層６０及び表面コーティング層７０が相互積層され、均衡層２４と柔軟性及び比重を適切に調節することで組立式床材１０が環境条件により突き上げ又は段差の発生を效率的に防止することが出来る。
本発明による伸縮防止層４０はガラス繊維も含める。
上記伸縮防止層４０でガラス繊維を使用することで温度及び湿度等の外部環境の変化により組立式床材１０が伸縮されることを最小化して別途の接着剤を使用しなくても施工が可能である。
本発明による柄色相層５０は熱可塑性合成樹脂に特定の柄が印刷されている構造を持つ。すなわち、柄色相層５０は熱可塑性合成樹脂に石柄、木柄、抽象柄等の印刷をする。
本発明による摩耗保護層６０は柄色相層５０を保護するための層として、透明性を持つ合成樹脂で構成される。特に摩耗保護層６０は摩耗に強い合成樹脂材質で構成されて、組立式床材１０を使用する場所の摩耗率によってその厚さを０．１ｍｍないし１．０ｍｍまで調節が可能である。
本発明による表面コーティング層７０は組立式床材１０の最上層に位置して、紫外線を效率的に遮断することと、ひっかきを最小化するために耐スクラッチ性に強いアクリルまたはウレタン系で構成される。
この時、上記表面コーティング層７０の厚さは０．０１０ｍｍないし０．０２５ｍｍであるのが望ましい。
一方、本発明による組立式床材１０を構成する均衡層２４、第１騷音防止層３０ａ、伸縮防止層４０、第２騷音防止層３０ｂ、柄色相層５０、摩耗保護層６０及び表面コーティング層７０は熱融着接着方式により相互接着が出来る。これにより、組立式床材１０の接着が簡単なだけでなく、その接着状態をより堅固で安定的に維持することが出来る。
【００１８】
一方、図１０に図示された通り、本発明による組立式床材１０は建物床面８０に安着されて、下部面にエンボシング部２６が形成されている均衡層２４；均衡層２４の上部に積層されて、騷音を防止する第１騷音防止層３０ａ；第１騷音防止層３０ａの上部に積層されて、環境条件による伸縮を防止する第１伸縮防止層４０ａ；第１伸縮防止層４０ａの上部に積層されて、騷音を防止する第２騷音防止層３０ｂ；第２騷音防止層３０ｂの上部に積層されて、環境条件による伸縮を防止する第２伸縮防止層４０ｂ；第２伸縮防止層４０ｂの上部に積層されて、騷音を防止する第３騷音防止層３０ｃ；第３騷音防止層３０ｃの上部に積層される柄色相層５０；柄色相層５０の上部に積層されて、柄色相層５０を保護する摩耗保護層６０；摩耗保護層６０の上部に積層される表面コーティング層７０を含むように構成することが出来る。
前述した組立式床材１０の構成は伸縮防止效果及び騷音防止效果を極大化させるための構成として、組立式床材１０の積層構造では第１、２、３騷音防止層３０ａ、３０ｂ、３０ｃ及び第１、２伸縮防止層４０ａ、４０ｂが交互で積層配置されたこと以外にその目的及び構成は前述の技術的構成と実質的に同じであるため、その詳細な説明を省略する。
【００１９】
以上で説明した通り、本発明が属する技術分野の当業者は本発明がその技術的思想や必須的特徴を変更しなくても他の具体的な形態で実施出来ことと理解出来る。
それで以上で記述した実試例はすべて例示的なもので限定的なものではないことを理解しなければならない。本発明の範囲は上記詳細な説明よりは後述する特許請求範囲の意味及び範囲そしてその等価概念から導出されたすべての変更または変更された形態が本発明の範囲に含まれることと解釈されなければならない。
【符号の説明】
【００２０】
１０：床材
１２：本体部
１４：締結突起
１６：締結溝
１７：突出部
１８：挿入突起
１８‘：第１挿入突起
１８“：第２挿入突起
２０：挿入溝
２０‘：第１挿入溝
２０“：第２挿入溝
２２：溝
２４：均衡層
２６：エンボシング部
２７：尖端部
２８：関節
２９：段差
３０ａ：第１騷音防止層
３０ｂ：第２騷音防止層
３０ｃ：第３騷音防止層
４０：伸縮防止層
４０ａ：第１伸縮防止層
４０ｂ：第２伸縮防止層
５０：柄色相層
６０：摩耗保護層
７０：表面コーティング層
８０：床面
【図１】
2011140863.tif 000003
【図２】
2011140863.tif 000004
【図３】
2011140863.tif 000005
【図４】
2011140863.tif 000006
【図５】
2011140863.tif 000007
【図６】
2011140863.tif 000008
【図７】
2011140863.tif 000009
【図８】
2011140863.tif 000010
【図９】
2011140863.tif 000011
【図１０】
2011140863.tif 000012